(57)【要約】      （修正有）【課題】多方向分散圧力用摺動スポンジの提供。【解決手段】ポリエチレングリコール５６．２％、ポリメチレンジフェニルイソシアネート（Ｐ−ＭＤＩ）３８．８％、水１．２％、スズ系触媒１．０％、アミン系触媒１．０％、ポリエーテル変性ポリシロキサン１．８％。本品は、外力からの作用を受ける時に内部の特殊な分子構造の変化により外力に対して多方向への分解を行うことで、外圧を十分に緩和し、外圧を平均的に分散させる効果をよりよく達成し、機能性が良く、使用効果がより高い。【選択図】なし【特許請求の範囲】
【請求項１】
多方向分散圧力用摺動スポンジであって、以下の重量部数の成分を含むことを特徴とする多方向分散圧力用摺動スポンジ。
ポリエチレングリコール ５６．２％；
ポリメチレンジフェニルジイソソネート（Ｐ−ＭＤＩ） ３８．８％；
水 １．２％；
スズ系触媒 １．０％；
アミン系触媒 １．０％；
ポリエーテル変性ポリシロキサン １．８％。
【請求項２】
請求項１に記載した多方向分散圧力用摺動スポンジであって、前記ポリプロピレングリコールは、重量部数に基づく以下の原料で製造されることを特徴とする多方向分散圧力用摺動スポンジ。  
ポリエチレングリコール５６１３ ３０％−４０％；
ポリエチレングリコールＧＬＲ２０００ ３０％−４０％；
ポリエチレングリコール８９７９６ ２０％−４０％；
【請求項３】
請求項１に記載した多方向分散圧力用摺動スポンジであって、前記ポリプロピレングリコールは、重量部数に基づく以下の原料で製造されることを特徴とする多方向分散圧力用摺動スポンジ。
ポリエチレングリコール５６１３ ３０％；
ポリエチレングリコールＧＬＲ２０００ ３０％；
ポリエチレングリコール８９７９６ ４０％；
【請求項４】
請求項１に記載した多方向分散圧力用摺動スポンジであって、前記ポリプロピレングリコールは、重量部数に基づく以下の原料で製造されることを特徴とする多方向分散圧力用摺動スポンジ。
ポリエチレングリコール５６１３ ４０％；
ポリエチレングリコールＧＬＲ２０００ ４０％；
ポリエチレングリコール８９７９６ ２０％；
【請求項５】
請求項１に記載した多方向分散圧力用摺動スポンジであって、前記ポリプロピレングリコールは、重量部数に基づく以下の原料で製造されることを特徴とする多方向分散圧力用摺動スポンジ。
ポリエチレングリコール５６１３ ３５％；
ポリエチレングリコールＧＬＲ２０００ ３５％；
ポリエチレングリコール８９７９６ ３０％；
【請求項６】
請求項１に記載した多方向分散圧力用摺動スポンジであって、前記スズ系触媒はオクタン酸第一スズであることを特徴とする多方向分散圧力用摺動スポンジ。
【請求項７】
請求項１に記載した多方向分散圧力用摺動スポンジであって、前記アミン系触媒はトリエチレンジアミンであることを特徴とする多方向分散圧力用摺動スポンジ。
【発明の詳細な説明】
【技術分野】
【０００１】
本発明はスポンジに関し、特に多方向分散圧力用摺動スポンジに関するものである。
【背景技術】
【０００２】
スポンジ素材市場の既存のスポンジは、基本的に単一内部構造のものであり、外力からの作用を受ける時に外力に対して単一方向へ分解することしかできなく、機能性も単一であり、使用効果もあまり期待できず、市場多元化のニーズに応えることができない（図２参照）。
【発明の開示】
【発明が解決しようとする課題】
【０００３】
上記問題点を解決するために、本発明は、外力からの作用を受ける時に内部の特殊な分子構造の変化により外力に対して多方向への分解を行うことで、外圧を十分に緩和し、外圧を平均的に分散させる効果をよりよく達成し、機能性が良く、使用効果がより高い多方向分散圧力用摺動スポンジを提供する。
【課題を解決するための手段】
【０００４】
上記目的を実現するために，本発明は以下の技術的解決手段を用いる：
【０００５】
本発明による多方向分散圧力用摺動スポンジは、以下の重量部数の成分を含む。
ポリエチレングリコール ５６．２％；
ポリメチレンジフェニルジイソソネート（Ｐ−ＭＤＩ） ３８．８％；
水 １．２％；
スズ系触媒 １．０％；
アミン系触媒 １．０％；
ポリエーテル変性ポリシロキサン １．８％。
【０００６】
さらに、前記ポリプロピレングリコールは、重量部数に基づく以下の原料で製造される。
ポリエチレングリコール５６１３ ３０％−４０％；
ポリエチレングリコールＧＬＲ２０００ ３０％−４０％；
ポリエチレングリコール８９７９６ ２０％−４０％；
【０００７】
さらに、前記ポリプロピレングリコールは、重量部数に基づく以下の原料で製造される。
ポリエチレングリコール５６１３ ３０％；
ポリエチレングリコールＧＬＲ２０００ ３０％；
ポリエチレングリコール８９７９６ ４０％；
【０００８】
さらに、前記ポリプロピレングリコールは、重量部数に基づく以下の原料で製造される。
ポリエチレングリコール５６１３ ４０％；
ポリエチレングリコールＧＬＲ２０００ ４０％；
ポリエチレングリコール８９７９６ ２０％；
【０００９】
さらに、前記ポリプロピレングリコールは、重量部数に基づく以下の原料で製造される。
ポリエチレングリコール５６１３ ３５％；
ポリエチレングリコールＧＬＲ２０００ ３５％；
ポリエチレングリコール８９７９６ ３０％；
【００１０】
さらに、前記スズ系触媒はオクタン酸第一スズである。
【００１１】
さらに、前記アミン系触媒はトリエチレンジアミンである。
【発明の効果】
【００１２】
１、本発明のスポンジは、良好な親肌性を持っていて、快適で柔らかく、そして摺動スポンジは、接触した体の部位に対して良好な快適性と密着性を感じることができ、人の体にとって柔らかくて快適であり、日々のストレスを緩和することに役立つ。
【００１３】
２、本発明のスポンジは、受けた圧力を多方向に分散させることができ、体のストレスを平均的に分散させる効果を達成する。
【００１４】
３、本発明のスポンジは、不正確な寝姿を調整することができる。
【００１５】
４、本発明のスポンジは、良好な支持性能を有し、体重の異なる人々に適しており、最良の支持力で睡眠者のあらゆる姿勢に自然に適応し、睡眠によって引き起こされる背中の痛みと寝苦しさを解消する。
【００１６】
５、本発明のスポンジは、通気殺菌性及び防ダニ性に優れ、そして摺動スポンジは、その特殊な分子構造のため、良好な通気性を有し、空気を摺動スポンジ内で自然に通過させ、睡眠中に発生する熱気と湿気を分散させ、細菌とダニの繁殖を効果的に抑制することができる。
【図面の簡単な説明】
【００１７】
【図１】本発明のスポンジの力分解の概略図である。
【図２】一般的なスポンジの力分解の概略図である。
【発明を実施するための最良の形態】
【００１８】
以下、図面を組み合わせて本発明の技術的解決手段を明確かつ完全に記述し、当然ながら、記述された実施例は、単に本発明の一例であって、全ての実施例ではない。本発明における実施例に基づき、当業者が創造的な労力を要さずに想到し得るすべての他の実施例は、いずれも本発明の技術的範囲に属する。
本出願の記述において、用語の「中心」、「上」、「下」、「左」、「右」、「垂直」、「水平」、「内」、「外」などで指示する方向または位置関係は、添付図面に示した方向または位置関係に基づくものであり、単に本発明を説明するためのものであり、該当する装置または部品について特定の方向性を持つか、特定の方向に構築・操作すべきことを指示または暗示するものではないので、本発明を限定するものとして理解されるべきではない。また、用語の「第一」、「第二」、「第三」は目的を記述するだけで、相対的な重要性を指示または暗示するものとして理解されるべきではない。
【００１９】
本発明の記述において、別段の定義がない限り、用語の「設置」「つながり」「接続」「固定」などの用語は広義的に理解されるべきである。例えば、固定接続であっても、取り外し可能な接続或いは一体化であってもよい。機械的接続であっても、電気的接続であってもよい。直接的接続であっても、中間媒体を介する間接的接続或いは２つの部品の内部接続であってもよい。当業者であれば、具体的な状況に応じて、本発明における上記用語の具体的な意味を理解すればよい。
（実施形態１）
【００２０】
本実施例の本発明による多方向分散圧力用摺動スポンジは、以下の重量部数の成分を含む。
ポリエチレングリコール ５６．２％；
ポリメチレンジフェニルジイソソネート（Ｐ−ＭＤＩ） ３８．８％；
水 １．２％；
スズ系触媒 １．０％；
アミン系触媒 １．０％；
ポリエーテル変性ポリシロキサン １．８％。
【００２１】
前記ポリプロピレングリコールは、重量部数に基づく以下の原料で製造される。
ポリエチレングリコール５６１３ ３０％；
ポリエチレングリコールＧＬＲ２０００ ３０％；
ポリエチレングリコール８９７９６ ４０％；
前記スズ系触媒はオクタン酸第一スズである。
前記アミン系触媒はトリエチレンジアミンである。
【００２２】
本実施例のスポンジは、良好な親肌性を持っていて、快適で柔らかく、そして摺動スポンジは、接触した体の部位に対して良好な快適性と密着性を感じることができ、人の体にとって柔らかくて快適であり、日々のストレスを緩和することに役立つ。
【００２３】
本実施例のスポンジは、受けた圧力を多方向に分散させることができ、体のストレスを平均的に分散させる効果を達成する（図１参照）。
【００２４】
本実施例のスポンジは、不正確な寝姿を調整することができる。
【００２５】
本実施例のスポンジは、良好な支持性能を有し、体重の異なる人々に適しており、最良の支持力で睡眠者のあらゆる姿勢に自然に適応し、睡眠によって引き起こされる背中の痛みと寝苦しさを解消する。
【００２６】
本実施例のスポンジは、通気殺菌性及び防ダニ性に優れ、そして摺動スポンジは、その特殊な分子構造のため、良好な通気性を有し、空気を摺動スポンジ内で自然に通過させ、睡眠中に発生する熱気と湿気を分散させ、細菌とダニの繁殖を効果的に抑制することができる。
（実施形態２）
【００２７】
本実施例の本発明による多方向分散圧力用摺動スポンジは、以下の重量部数の成分を含む。
ポリエチレングリコール ５６．２％；
ポリメチレンジフェニルジイソソネート（Ｐ−ＭＤＩ） ３８．８％；
水 １．２％；
スズ系触媒 １．０％；
アミン系触媒 １．０％；
ポリエーテル変性ポリシロキサン １．８％。
【００２８】
前記ポリプロピレングリコールは、重量部数に基づく以下の原料で製造される。
ポリエチレングリコール５６１３ ４０％；
ポリエチレングリコールＧＬＲ２０００ ４０％；
ポリエチレングリコール８９７９６ ２０％；
前記スズ系触媒はオクタン酸第一スズである。
前記アミン系触媒はトリエチレンジアミンである。
【００２９】
本実施例のスポンジは、良好な親肌性を持っていて、快適で柔らかく、そして摺動スポンジは、接触した体の部位に対して良好な快適性と密着性を感じることができ、人の体にとって柔らかくて快適であり、日々のストレスを緩和することに役立つ。
【００３０】
本実施例のスポンジは、受けた圧力を多方向に分散させることができ、体のストレスを平均的に分散させる効果を達成する。
【００３１】
本実施例のスポンジは、不正確な寝姿を調整することができる。
【００３２】
本実施例のスポンジは、良好な支持性能を有し、体重の異なる人々に適しており、最良の支持力で睡眠者のあらゆる姿勢に自然に適応し、睡眠によって引き起こされる背中の痛みと寝苦しさを解消する。
【００３３】
本実施例のスポンジは、通気殺菌性及び防ダニ性に優れ、そして摺動スポンジは、その特殊な分子構造のため、良好な通気性を有し、空気を摺動スポンジ内で自然に通過させ、睡眠中に発生する熱気と湿気を分散させ、細菌とダニの繁殖を効果的に抑制することができる。
（実施形態３）
【００３４】
本実施例の本発明による多方向分散圧力用摺動スポンジは、以下の重量部数の成分を含む。
ポリエチレングリコール ５６．２％；
ポリメチレンジフェニルジイソソネート（Ｐ−ＭＤＩ） ３８．８％；
水 １．２％；
スズ系触媒 １．０％；
アミン系触媒 １．０％；
ポリエーテル変性ポリシロキサン １．８％。
【００３５】
前記ポリプロピレングリコールは、重量部数に基づく以下の原料で製造される。
ポリエチレングリコール５６１３ ３５％；
ポリエチレングリコールＧＬＲ２０００ ３５％；
ポリエチレングリコール８９７９６ ３０％；
前記スズ系触媒はオクタン酸第一スズである。
前記アミン系触媒はトリエチレンジアミンである。
【００３６】
本実施例のスポンジは、良好な親肌性を持っていて、快適で柔らかく、そして摺動スポンジは、接触した体の部位に対して良好な快適性と密着性を感じることができ、人の体にとって柔らかくて快適であり、日々のストレスを緩和することに役立つ。
【００３７】
本実施例のスポンジは、受けた圧力を多方向に分散させることができ、体のストレスを平均的に分散させる効果を達成する。
【００３８】
本実施例のスポンジは、不正確な寝姿を調整することができる。
【００３９】
本実施例のスポンジは、良好な支持性能を有し、体重の異なる人々に適しており、最良の支持力で睡眠者のあらゆる姿勢に自然に適応し、睡眠によって引き起こされる背中の痛みと寝苦しさを解消する。
【００４０】
本実施例のスポンジは、通気殺菌性及び防ダニ性に優れ、そして摺動スポンジは、その特殊な分子構造のため、良好な通気性を有し、空気を摺動スポンジ内で自然に通過させ、睡眠中に発生する熱気と湿気を分散させ、細菌とダニの繁殖を効果的に抑制することができる。
【００４１】
以上、本発明及びその実施形態について記述したが、この記述には制限性がなく、各種の触媒の選択及び各成分の含有量はこれに限定されない。当業者にとって、本発明から示唆を受ければ、その趣旨及び原則から逸脱しない場合、設計した当該技術的解決手段に類似した進歩性のない実施形態は、いずれも本発明の保護範囲に属する。
【図１】
2020183468.tif 000002
【図２】
2020183468.tif 000003